(57)【要約】  マルチレート音声サービス環境内で動作しかつ寿命の終りに近いバッテリを有するセルラー電話機（移動局）が残留通話時間を延長することができる方法。移動局はそのコーディックモードを調節しながらその送信電力設定値を本質的に低減して５３０送信電力の低減を補償する。このトレードオフにより電話機のバッテリがその寿命の終りに近い時に利用可能な通話時間を延長させる。
2006529069.tif 000002
【特許請求の範囲】
【請求項１】
マルチレート音声サービス網内で動作する移動局内のバッテリ寿命を延長させる方法であって、前記方法は、
移動局内の現在のバッテリ電圧５０５を閾値バッテリ電圧５１０と比較し、現在のバッテリ電圧が閾値バッテリ電圧５１０よりも低ければ、
移動局により現在使用されているマルチレート音声サービスのコーディックモードを下方調節できるかどうかを確認し５２０、現在のコーディックモードを下方調節できるならば、
コーディックモードを下方調節して５３０より低い送電要求条件とする、
ステップを含む方法。
【請求項２】
請求項１に記載の方法であって、マルチレート音声サービスはＧＳＭ  ＡＭＲ音声サービスである方法。
【請求項３】
請求項２に記載の方法であって、コーディックモードは可能な最低コーディックモードに初期下方調節５３０される方法。
【請求項４】
請求項１に記載の方法であって、さらに、付加閾値バッテリレベル５１０を含む方法。
【請求項５】
請求項４に記載の方法であって、マルチレート音声サービスはＧＳＭ  ＡＭＲ音声サービスである方法。
【請求項６】
請求項５に記載の方法であって、コーディックモードはもう１つの閾値バッテリレベル５１０を越えるたびに、次に低いコーディックモードへ増分ステップで下方調節５３０される方法。
【請求項７】
請求項５記載の方法であって、コーディックモードは閾値バッテリレベル５１０を越えるたびに２ｄＢ送信電力低減が達成されるように、より低いコーディックモードへ下方調節５３０される方法。
【請求項８】
マルチレート音声サービス網内で動作する移動局内のバッテリ寿命を延長させるシステムであって、前記システムは、
移動局内の現在のバッテリ電圧５０５を閾値バッテリ電圧５１０と比較する手段と、現在のバッテリ電圧が閾値バッテリ電圧５１０よりも低ければ、
移動局により現在使用されているマルチレート音声サービスのコーディックモードを下方調節できるかどうかを確認する手段５２０と、現在のコーディックモードを下方調節できるならば、
コーディックモードを下方調節して５３０より低い送電要求条件とする手段と、
を含むシステム。
【請求項９】
請求項８に記載のシステムであって、マルチレート音声サービスはＧＳＭ  ＡＭＲ音声サービスであるシステム。
【請求項１０】
請求項９に記載のシステムであって、コーディックモードは可能な最低コーディックモードに初期下方調節５３０されるシステム。
【請求項１１】
請求項８に記載のシステムであって、さらに、付加閾値バッテリレベル５１０を含むシステム。
【請求項１２】
請求項１１に記載のシステムであって、マルチレート音声サービスはＧＳＭ  ＡＭＲ音声サービスであるシステム。
【請求項１３】
請求項１２に記載のシステムであって、コーディックモードはもう１つの閾値バッテリレベル５１０を越えるたびに、次に低いコーディックモードへ増分ステップで下方調節５３０されるシステム。
【請求項１４】
請求項１２に記載のシステムであって、コーディックモードは閾値バッテリレベル５１０を越えるたびに２ｄＢ送信電力低減が達成されるように、より低いコーディックモードへ下方調節５３０されるシステム。
【発明の詳細な説明】
【技術分野】
【０００１】
（背景技術）
背景部はセルラー電話送信電力制御、バッテリ寿命、チャネルコーディング（ＡＭＲに対して規定されたものを含む）、およびこれらのトピックスが互いにどのように関連するかについての概説を提供する。これらのトピックスの検討は完全でもなければ包括的でもない。本発明に関連する側面だけが検討される。さらに、参照し易くするために、一般的に使用される頭字語および略語のリストが提供される。
ＡＣＳ          アクティブコードセット
ＡＦＳ          ＡＭＲフルレート音声サービス
ＡＨＳ          ＡＭＲハーフレート音声サービス
ＡＭＲ          適応マルチレート音声コーディック
ＢＥＲ          ビットエラーレート
ＢＳＳ          基地局サブシステム
ＢＴＳ          基地トランシーバ局
ＣＤＭＡ        符号分割多元接続
ＣＨＤ          チャネルデコーダ
チップＢＥＲ    ＣＨＤにより任意のエラー訂正が行われる前のＢＥＲ
Ｄ−ＡＭＰＳ    デジタルＡＭＰＳ
ＥＦＲ          エンハンスト・フルレート音声コーディック（ＧＳＭ用）
ＥＶＲＣ        エンハンスト・可変レートコーディック（ＩＳ−９５用）
ＦＲ            ＧＳＭ用フルレート音声サービス
ＧＳＭ          移動通信用グローバルシステム
ＨＲ            ＧＳＭ用ハーフレート音声サービス
ＭＳ            移動局、たとえば、セルラー電話機
ＰＡ            電力増幅器
ＰＤＣ          パーソナル・デジタルセルラー
ＰＬｘ          送信電力レベル設定
ＲＸ            受信機
ＲＸＬＥＶ      受信信号レベル（強度）
ＲＸＱＵＡＬ    受信信号品質
ＴＸ            送信
【背景技術】
【０００２】
簡単明瞭とするために、背景および発明の説明は特記なき限り共に移動通信用グローバルシステム（ＧＳＭ）の状況において記載される。さらに、ＧＳＭシステムはＧＳＭ[GSM 06.71,05.09]のもとで標準化されたようなＡＭＲ音声コーディックを含むものとする。しかしながら、本発明の方法はこの特定のＡＭＲシステムを超えて拡張されることを認識しなければならない。注目すべきは、この方法はマルチレート音声またはデータサービスを利用する任意のデジタル通信システムに応用できることである。ＧＳＭ/ＡＭＲを超える応用例は狭帯域ＣＤＭＡ（ＩＳ−９５）および広帯域ＡＭＲサービスにおいて標準化されたＥＶＲＣ音声サービスを含む。
【０００３】
携帯セルラー電話機は限定容量を有するバッテリにより給電される。現在、バッテリ容量は400−1200ミリアンペア時の範囲である。この容量は、電話機消費電力と共に、利用可能な通話およびスタンバイ時間を決定する。
【０００４】
セルラー電話機や移動局（ＭＳ）は非常に多くの動作モードを有し、各モードはそれ自体の消費電流要求条件を有する。本発明にとって関心のある２つのモードはスタンバイおよびアクティブ（「通話」としても知られる）である。スタンバイモードは電話機がオンでセルラー網に繋がれてはいるが通話中ではない期間である。このような期間中に、電話機は制御チャネルを読み出すべき時にその受信機に給電するように最小量の電流しか引き出さない。セルラー網により構成することはできるが、受話器をイネーブルさせなければならないデューティサイクルは典型的に極めて低く維持され、スタンバイモード中のＭＳ消費電流を最小限に抑える。
【０００５】
トラフィックチャネル上の状況は極めて異なる。受信機および送信機は共に遥かに高いデューティサイクル、たとえば、フルレート音声チャネル上で８中１スロットでパワーアップしなければならない。そのため消費電力はスタンバイモードの時に必要なものよりも著しく多くなる。アクティブモード中に、最大電力を消費するのは通常送信機電力増幅器（ＰＡ）である。ＰＡ消費電流は送信電力レベルに従って著しく変動する。この電力レベルは基地局サブシステム（ＢＳＳ）により指令される。ＭＳには一般的にこのレベルを選択する自主性がない。
【０００６】
ＭＳバッテリ容量はスタンバイ期間中に緩やかに引き出され、通話中は迅速に引き出される。終局的に、バッテリ電圧はＭＳが動作できなくなる点まで降下する。スタンバイまたは通話時にバッテリがこのカットオフ電圧点に達すると、ＭＳは運転停止しなければならない。
【０００７】
通話中にこのカットオフ電圧点に達すると、通話はドロップしてＭＳは運転停止する。ＭＳがスタンバイモードである時は、バッテリ容量が絶対カットオフ電圧よりも上のある閾値よりも低ければ、通話の開始を許さないことが望ましい（典型的である）。たとえば、そのバッテリ容量の０.１％しか残っておらず、それは５秒の通話時間に対応するスタンバイモードのＭＳについて考える。呼がうまく接続されて僅か５秒後にドロップしたら、ユーザはひどくいらいらさせられる。そのため、大概のＭＳはその点において通話を開始できない絶対シャットオフ電圧よりも上にある閾値電圧（バッテリ容量を示す）を有する。バッテリ電圧がその閾値よりも降下すると（スタンバイモードにおいて）、ＭＳは運転停止する。以後、この閾値電圧はスタンバイ・カットオフ電圧と呼ばれる。
【０００８】
絶対運転停止カットオフ電圧閾値は、通常、ＭＳ内で使用される半導体技術により決定される。たとえば、ＭＳは３Ｖレギュレータを必要とする３Ｖ論理を使用することができ、次に、それはバッテリからの３.１Ｖ最小電圧入力を必要とする。以後、この絶対カットオフ電圧はオンコール(on-call)カットオフ電圧閾値と呼ばれる。オンコール電圧閾値はバッテリの極度の放電を回避するために半導体技術により指示される絶対カットオフ電圧よりも高く規定することができる。これは本発明のユニークな概念とは無関係な詳細であるため、以後判り易くするために無視する。
【０００９】
スタンバイ・カットオフ閾値電圧の選択にはあるデザイン柔軟性がある。選択電圧が高いほど、呼確立時に利用可能な保証された通話時間が長くなる。しかしながら、高い電圧は電話機の使用可能なスタンバイ時間を有効に低減する。そのため、この閾値はあまり高く選択しないことが望ましい。典型的な例では、デザイナは５分通話の完了を保証するために適切なバッテリ容量を利用できなければならないと決定することができる。次に、これは５分通話を考慮する電圧閾値にマッピングされる。
【００１０】
スタンバイ・カットオフ閾値電圧およびオンコール・カットオフ閾値電圧の他に、２つの閾値が通常規定される。それらはＭＳのバッテリ容量がほぼ枯渇していることをユーザに警告するのに使用される。この警告は典型的にビープ、ＬＥＤのフラッシング、を行い、さらに/またはローバッテリ警告アイコンをディスプレイして遂行される。ユーザは充電器への差込、進行中通話の完結、または充電済バッテリへの切替等の修正アクションをとることができる。スタンバイ・ローバッテリ警告閾値電圧はスタンバイ・カットオフ閾値電圧のすぐ上に規定される。オンコール・スタンバイローバッテリ警告閾値電圧はオンコールカットオフ閾値電圧の上のあるデルタとして規定される。
【００１１】
これらの電圧閾値の使用および意味を明確にするために、３.６ｖバッテリ技術を使用する電話機に対するある典型的な値が下記の表に記述されている。このようなバッテリに対する放電曲線は図１に示されている。
2006529069.tif 000003
【００１２】
送信電力を増すかチャネルコーディング利得を高めることにより低チャネル品質を改善することができる。古いセルラーシステム、たとえば、ＰＤＣ，Ｄ−ＡＭＰＳ，非ＡＭＲ  ＧＳＭでは、チャネルコーディングは定められた音声サービスに対して固定され、リンク品質を適応させる唯一の方法は送信（ＴＸ）電力であつた。しかしながら、適応マルチレート（ＡＭＲ）はチャネルコーディングを調節する機会も与える。
【００１３】
ＧＳＭ  ＭＳからのアップリンクに対して、基地トランシーバ局（ＢＴＳ）はその受信リンク品質に関する２つのパラメータ、受信信号強度（ＲＸＬＥＶ）および受信信号品質（ＲＸＱＵＡＬ）を絶えず計算する。前者は合計受信信号強度を示し接続されたＭＳからの希望キャリヤ信号の他に、同一チャネルおよび隣接チャネル干渉（不要）も含むことがある。後者のパラメータは希望チャネルの推定チップビットエラーレートに基づいており、任意の干渉の逆効果を本来考慮している。これらの測定値に基づいて、ＢＳＳは適切なアップリンク品質を維持する適切なＭＳ電力レベルを決定する。このような電力レベルは４８０ｍｓ毎に送られるＳＡＣＣＨメッセージ内でＭＳに指令される。電力設定値は２ｄＢ離された間隔とされ、ＭＳの最大電力レベルで開始してそこから徐々に下がる。ＭＳ最大電力はＭＳ登録におけるベアラケイパビリティ内でＢＳＳに運ばれるＭＳ電力クラスにより決定される。典型的に、ＢＳＳは呼開始時にＭＳをその最大電力に設定する。ＲＸＬＥＶおよびＲＸＱＵＡＬ読取値が良く見える場合、ＢＴＳ受信信号があるマージンを有して良好な通話品質を維持するのに十分なものとなるまで、ＢＳＳはＭＳ電力を徐々に下げ戻す。
【００１４】
電力制御だけでは常に良好なリンク品質を維持するのに適切ではない。音声コーディックビットストリームにチャネルコーディングを加えることにより、音声デコーダ内へのＢＥＲも管理することができる。「固定レート」音声サービス（フルレート−ＦＲ，ハーフレート−ＨＲ，およびエンハンストフルレート−ＥＦＲ）に対しては、チャネルコードが各々に規定される。
【００１５】
ＡＭＲ等のマルチレート音声サービスによりチャネルコーディングをダイナミックに調節してチャネル品質に一致させることができる。ＢＴＳの近くで経験できる良好なチャネルに対してリンクはほとんどコーディングを必要とせず、より多くの帯域幅を音声コーディックに割り当てて最大オーディオ品質を与えることを意味する。逆に、ＭＳユーザはセルのエッジにおいてあるいはフェージング状況下で低チャネル品質を経験することがある。ＡＭＲにより、このような状況下でより多くのチャネルコーディングがビットストリームに加えられ、音声コーディングにはより少ないビットが割当てられる。音声品質は低減された音声ビットレートにより劣化するが、音声コーディック内へのＢＥＲが低く維持されるため劣化は管理可能である。全体効果は最高ＡＦＳに比べて最低ＡＦＳにより４−５ｄＢのコーディング利得を付加することができる。
【００１６】
ＧＳＭ  ＡＭＲに対するリンク適応は産業仕様GSM 05.09に記述されており図２の線図に要約されている。ＡＨＳおよびＡＦＳに対する音声およびチャネルコーディング間の区切りを示す帯域幅割当てが図３に示されている。
【００１７】
ＡＭＲにより、ＢＳＳは適切なリンク品質を保証する２つのアベニューを有することになる。過度に単純化したチャネル品質管理方式において、ＴＸ電力制御はリンク品質を維持する主要な方法である、すなわち、低ＭＲＳ  ＲＸＱＵＡＬにより最初にＭＳはその最大電力に強制される。それにより満足な品質が得られなければ、コーディックモードはコーディング利得を付加するように調節される。より複雑な方法はＲＸＬＥＶを使用してフェージングによる劣化が支配する時とは異なる調節を行うことができる、すなわち、ある状況においてチャネルコーディングはＴＸ電力よりもチャネル品質制御においてより有効となることがある。
【００１８】
ＡＭＲリンク適応に関する１つの追加詳細は言及する価値がある。ＢＴＳはアップリンク上でどのモードを使用するかについてＭＳに指令する。通常、ＭＳはそのアップリンクレートを変えることによりこの指令を実行する義務を負う。ＭＳは３音声フレーム内に新しいモードに応答しなければならないという幾分あいまいなステートメントがGSM 05.09内にある。タイミングはテストされないが、ＢＴＳコマンドがアップリンクＭＳレート変更を強制するのを保証するＧＳＭテストケースがある。ＭＳへのダウンリンクの制御はＭＳがコーディックモードしか要求しない点で異なっている。ＢＳＳは一般的にこのような要求は容認するが、そうする義務は負わない。
【発明の開示】
【発明が解決しようとする課題】
【００１９】
本発明はバッテリがその充電の終に近づくとＴＸ電力が低減されるトレードオフ方式を提案する。低減されたＴＸ電力を補償するために、コーディング利得が付加されて十分なチャネル品質を維持する。チャネルコーディングに有利にＴＸ電力を低減することにより、バッテリ消費電力を低減してバッテリの寿命を延ばすことができる。
【課題を解決するための手段】
【００２０】
（発明の開示）
本発明はマルチレート音声サービス網内で動作する移動局内のバッテリ寿命を延ばすシステムおよび方法を含んでいる。移動局内の現在のバッテリ電圧が閾値バッテリ電圧と比較される。現在のバッテリ電圧が閾値バッテリ電圧よりも低ければ、移動局により使用されている現在のコーディックモードのチェックが行われる。移動局により現在使用されているマルチレート音声サービスのコーディックモードを下方に調節できれば、コーディックモードは下方に調節されてより低い送電要求条件となる。
【００２１】
可能な最善の節電（バッテリ延長）を達成するために、コーディックモードは閾値レベルを越える時に可能な最低コーディックモードへ初期下方調節される。送電レベルの増分低減を考慮する追加バッテリ閾値レベルも有り得る。たとえば、もう１つの閾値バッテリレベルを越えるたびに、コーディックモードは次に低いコーディックモードまで増分ステップで下方調節することができる。あるいは、閾値バッテリレベルを越えるたびに２ｄＢ送信電力低減が達成されるように、コーディックモードをより低いコーディックモードへ下方調節することができる。
【００２２】
本システムおよび方法は実質的に任意のマルチレート音声サービスに応用することができるが、特に、ＧＳＭ  ＡＭＲ音声サービスに応用することができる。
【実施例】
【００２３】
（発明を実施する最善のモード）
本発明の目的はバッテリ寿命の終り近くでＭＳ通話時間を延ばすことである。これはコーディング利得を増加（コーディックモードを低減）しながらＭＳ  ＴＸ電力を低減することにより達成される。一般的に、ＭＳはＴＸ電力およびＡＭＲコーディックレートの両方に対してＢＳＳの指令に従わなければならないため、これはＧＳＭにおいて許されない。しかしながら、これはこの例外状況に対して使用できたと信じられる。ＭＳメーカは運転停止電圧、上限電圧、および下限電圧を宣言している。ＴＸ電力要求条件は産業仕様GSM 05.05内の上下範囲間で満たされなければならない。しかしながら、それらは下限および運転停止電圧間で満たされる必要はない。そのため、本発明は宣言された下限よりも下の範囲内で有効である。
【００２４】
特に、それは既存のテストケースを破ったりフィールド内に逆効果を生じることはなく、それはそれらが低バッテリ寿命の異常なケースをカバーしないためである。延長された通話時間は、特に、緊急状況におけるエンドユーザのためになる。
【００２５】
次に、本発明を例により記述する。全ての例に対して、ＭＳは表１に規定されたのと同様な電圧閾値を有するように構成されるものとする。また、ＭＳはＡＭＲケーパブルであると仮定する。例示するＭＳは、さらに、４.７５,７.９５および１２.２kbpsのＡＣＳを有するＡＦＳ呼に対して構成され、呼は３.４Ｖのスタンバイモード・カットオフ閾値よりも上のＭＳバッテリにより開始する。それは８５０帯域で動作し、そこでＴＸ電力クラス５として宣言されている。
【００２６】
通話シナリオについて記述する前に、図面を参照する時の混乱を回避するために電圧読取値に関する一つの最終詳細を明確にしなければならない。ＰＡは十分な電流を引き出しかつインピーダンスが十分に低いため、バッテリの電圧レベルはＰＡが調節される時、すなわち、バースト送信中に実際に降下する。この電圧降下の量は現在の電力レベルに非常に依存する。電話機ハードウェア（ＲＦおよびデジタル）の全てがこのような送信中に機能しなければならない。したがって、ＴＸスロット中にオンコール電圧読取値を取ることが望ましく、それはこれが最悪ケースを表すためである。この電圧降下は２９ｄＢｍで送信するＭＳに対して図４に例示されている。特に、図４はバッテリ電圧対正規ケース（すなわち、12.2kbpsおよび29dBmにおけるコーディック）に対する時間のＴＸ無しおよびＴＸスロットのグラフを例示している。
【００２７】
図５は本発明の基本的論理を記述するフロー図である。移動局は残留バッテリ電圧を絶えず意識しながらそのバッテリ消費電力および残留寿命を監視する５０５。バッテリ電圧が閾値よりも下に越えているかどうかを確認するチェックが行われる５１０。バッテリ電圧が閾値よりも下へ下がっていなければ、何も行われない５１５。しかしながら、バッテリ電圧が閾値電圧レベルよりも下へ下がっておれば、現在のコーディックモードをより低いコーディックモードまで下方調節できるかどうかを確認するチェックがさらに行われる５２０。現在のコーディックモードをいつでも下方調節はできないことがある。たとえば、コーディックモードは既にその最低レベルにあることがある。このような場合、バッテリ寿命を延ばすために何も行うことができない５２５。しかしながら、コーディックモードを低下させる余地があれば、コーディックモードは下方調節されＴＸ電力が低減される５３０。これによりバッテリ寿命はある程度延長され、それはＭＳユーザにとって著しく便利である。プロセスは下記の特定例についてよく例示することができる。
【００２８】
呼は4.75kbpsレートで最大アップリンクＴＸ電力により開始される。クラス５ＧＳＭ８５０  ＭＳに対する最大電力レベルは２９ｄＢｍであり、それはＰＬ７に対応する。リンクは適度に良好でありＡＭＲレートは12.2kbpsへ傾斜される。その幾分後で定常状態に達し、ＭＳバッテリ電圧（ＴＸスロット）は３.４Ｖ閾値を越えてバッテリはほとんど残っていないことを示す。
【００２９】
最初の例では、３.４Ｖ閾値を越えるとＭＳは行動をとる。4.75および12.2kbpsレート間に少なくとも４ｄＢのコーディング利得があることを知って、ＭＳはそのＴＸ電力をＰＬ９まで低減し、すなわち４ｄＢの減少、そのアップリンクレートを4.75kbpsへ変える。低減されたＴＸ電力により通話は著しく延長することができる。これは図６にプロットされた電圧データで理解することができる。図６は12.2kbpsレートを有するＡＦＳトラフィック呼およびＰＬ７のＴＸを仮定するベースラインデータを例示している。電圧は通話がドロップするまでバッテリ寿命の最後の数分間プロットされる。オンコール・ローバッテリ閾値（３.４Ｖ）に達する時にレートは4.75kbpsに切り替わりＴＸ電力はＰＬ９へ低減されるものと仮定して、電圧曲線が図６のプロット上に重ね合わされる。グラフはこの切替えにより通話が８分だけ延長されることを示している。ＴＸスロット電圧読取値は低減されたＰＡ負荷による切替えにおいて増加する。
【００３０】
第２の例（例示せず）では、ＭＳはそのＴＸ電力およびコーディックモードを段階的に変える。第１の閾値（３.４Ｖ）において、ＴＸ電力は２ｄＢ低減することができコーディックモードは7.95kbpsに変えられる。第２のより低い閾値（たとえば、３.３Ｖ）に達すると、コーディックモードは再度4.75kbpsにドロップすることができ、ＴＸ電力はさらに２ｄＢ低減される。通話時間により測定されるバッテリ寿命は延ばされるが、第１の例ほどではない。しかしながら、バッテリが終りに近づいている時に最低音声レートしかキックインしないため、より高い音声品質が維持される。
【００３１】
一般的に、ＴＸ電力は２ｄＢステップで調節する必要はない。このようなステップは既存のＧＳＭ  ＭＳ電力制御において既にサポートされているため、これは便利な選択である。電力はコーディックレート変更によりもたらされるコーディング利得量だけ各ステップにおいて低下されるのが最適である。ＭＳはこのような利得のテーブルを維持することができる。ＡＦＳに対して、テーブルは12.2kbpsレートを参照として考慮し、より低い７レートの各々により達成されるコーディング利得を規定するエントリを有することができる。
【００３２】
本発明は全てのチャネル状況に対して均一な利益を提供するものではない。特に、品質の落ちるチャネルは既に最大コーディング利得およびＴＸ電力を指令されていることがあり、その場合本発明はなんの改善も行わない。限界チャネルは中間レートの一つを使用していることがあり、その場合本発明は適度の利益を提供する。明らかに、チャネル品質が開始するのに比較的良好である時に最大結果が実現される。これは前例において考慮されたケースである。
【００３３】
ＡＭＲ音声サービスはチャネルコーディングを調節してリンク品質を維持しようとするものである。しかしながら、チャネルコーディングは一般的にＴＸ電力に対してトレードされる。より多くのチャネルコーディングで一貫して低電力を送る電話機は定められたバッテリ容量に対してその通話時間を有効に増加することができる。
【００３４】
ＴＸ電力に対してコーディング利得をトレードすることは一般的に知られているが、トレードオフは典型的にシステム定義中に行われる。しかしながら、ＭＳは増加された通話時間に対するユーザインターフェイスオプションを含むことができる。たとえば、ユーザオプションは標準ＡＭＲモードへのデフォルトとすることができるが、動作の「延長通話時間」モードを考慮する。ユーザがこのモードを選択すると、ＭＳはＢＳＳが指令するものの外部のチャネルコーディングに対してＴＸ電力をトレードする。特に（かつ適切なＡＣＤを仮定して）、ＭＳはＡＣＳから（指令されたものではなく）常に最低コーディックモードを選択し、ＴＸ電力を指令されたものよりも０−４ｄＢ低く設定する。異なるＡＭＲモードで利用可能なコーディング利得を規定するハードコードテーブルにより正確な低減を決定することができる。
【００３５】
本発明の特定実施例がここに開示されている。当業者ならば本発明には他の環境における他の応用もあることを容易に認識できる。事実、多くの実施例およびインプリメンテーションが可能である。特許請求の範囲は決して本発明の範囲を前記した特定実施例に限定しようとするものではない。さらに、「〜する手段（“meas for”）」の任意の引用はエレメントおよびクレームの手段プラス機能解釈を呼び起こそうとするものであり、「〜する手段（“meas for”）」の引用を特に使用しない任意のエレメントは、たとえクレームが「手段（“meas”）」の語を含んでいても、手段プラス機能エレメントとしては解釈しないものとする。
【図面の簡単な説明】
【００３６】
【図１】典型的な移動局バッテリに対する放電曲線を示す図である。
【図２】産業仕様GSM 05.09に記述されているＧＳＭ  ＡＭＲに対するリンク適応を示す図である。
【図３】ＡＭＲフルおよびハーフレートサービスに対する音声コーディングおよびチャネルコーディング間の帯域幅割当てを示す図である。
【図４】移動局内のバースト伝送により生じる電圧降下を示す図である。
【図５】本発明の基本的論理を記述するフロー図である。
【図６】本発明を利用して実現することができるバッテリ時間の延長を示す図である。
【図１】
2006529069.tif 000004
【図２】
2006529069.tif 000005
【図３】
2006529069.tif 000006
【図４】
2006529069.tif 000007
【図５】
2006529069.tif 000008
【図６】
2006529069.tif 000009
【国際調査報告】
2006529069.tif 000010
2006529069.tif 000011
2006529069.tif 000012